(57)【要約】【課題】ＬＥＤ照明灯に使われる、LEDは、発光時における熱により発光体性能の劣化などがおきる、高輝度ＬＥＤほどロス電力による熱が生じるのでこれらの熱の放熱を行うより大きな放熱器（以下ヒートシンクと呼ぶ）が必要となる。そのため、従来の照明灯とちがって大きなヒートシンクが必要だった。【解決手段】本発明は、放熱性の高い押し出し材にLEDを構成した熱伝導性の良い材質からなる個々に独立したＬＥＤ取り付け台と前記押し出し材をヒートシンクおよび照明灯の箱体として利用し、1つの独立したLED照明灯を構成させることにより特別な放熱専用ヒートシンクも必要としない放熱性の良いさまざまなサイズを作成させることができ、かつLED取り付け台の取り付け位置設定及び、取り付け取り外しが自由な、低価格のLED照明灯を提供することにある。【選択図】図4
2012221652.tif 000002
【特許請求の範囲】
【請求項１】
LEDを備えた、押し出し材又は熱伝導性の良い材質からなるLED取り付け台と、前記LED取り付け台を設置する前記LEDからの熱を伝導し、放熱する押し出し材からなるLED照明灯箱体で構成される、1つのLED照明灯において、前記LED照明灯箱体に対する前記LED取り付け台の設置位置移動が可能でありかつ設置数が固定されてないことを特徴とするLED照明灯。
【請求項２】
LEDを備えた、押し出し材又は熱伝導性の良い材質からなるLED取り付け台と、前記LED取り付け台からの熱を放熱するLED照明灯箱体となる押し出し材それぞれに構成された互いに対応する凹凸状部を嵌め込み設置して構成される1つのLED照明灯において、前記LED照明灯箱体に対する前記LED取り付け台の設置位置移動が可能でありかつ設置数が固定されてないことを特徴とするLED照明灯。
【請求項３】
前記請求項1及び請求項2のLED照明灯において前記LED取り付け台を取り付け及び取り外しできることを特徴とするLED照明灯。
【請求項４】
前記請求項1及び請求項2のLED照明灯において前記LED取り付け台及びLED照明灯箱体に構成した突起部のそれぞれを対応する前記突起部間に嵌め込むことにより、前記突起部のばねの力により、前記LED取り付け台とLED照明灯箱体の接触面の接触抵抗を小さくすることを特徴とするLED照明灯。
【請求項５】
前記請求項1及び請求項2のLED照明灯において前記LED取り付け台に構成した曲面状の突起部を対応するLED照明灯箱体の突起部間にはめ込む事により、前記LED取り付け台の回転角度を、前記LED取り付け台とLED照明灯箱体の接触を保ちながら変える事ができることを特徴とするLED照明灯。
【請求項６】
前記請求項1及び請求項2及び請求項3のLED照明灯において、前記LED取り付け台からの熱を放熱するLED照明灯箱体となる押し出し材がアルミ押し出し材からなる構造用フレーム材であることを特徴とするLED照明灯。
【請求項７】
前記請求項1及び請求項2及び請求項3のLED照明灯において、前記LED取り付け台とLED取り付け台の間に柱状の導光管を支持させることにより、独立した前記LED取り付け台のLEDからの光の投光部を設置できることを特徴とするLED照明灯。
【発明の詳細な説明】
【技術分野】
【０００１】
本発明は、LED照明灯とその構造として使用される
【背景技術】
【０００２】
LED照明灯に使われる、LEDは、発光時における熱により発光性能の劣化などがおきる、高輝度LEDほどロス電力による熱が生じるのでこれらの熱の放熱を行うより大きな放熱器（以下ヒートシンクと呼ぶ）が必要となる。そのため、従来の照明灯とちがって大きなヒートシンクが必要だった。
【発明の概要】
【発明が解決しようとする課題】
【０００３】
本発明は、アルミニュームなどからなる放熱性の高い押し出し材の構造用組み立て式フレーム材などにも適応できる形状の押し出し材に、LEDを構成した熱伝導性の良い材質からなる個々に独立した発光部となるLED取り付け台やLEDを取り付けた複数のLED取り付け台とLEDからの光を拡散、投光させる導光管などから構成される発光部をお互いの接触面に常に圧力が加わる事で、接触抵抗を小さくなる用に、嵌め込み固定することにより前記押し出し材をヒートシンクおよび照明灯の箱体として利用し、1つの独立したLED照明灯を構成させることにより特別な放熱専用ヒートシンクも必要としない放熱性の良いさまざまなサイズで、かつLED取り付け台のLED照明灯箱体に対する取り付け位置移動や取り付け数及び、取り付け取り外し、投光角度などを自由に変えられる、低価格の放熱性の良いLED照明灯を提供することにある。
【発明の効果】
【０００４】
特別なヒートシンクを必要としないLED取り付け台の取り付け位置移動及び取り付け数、取り付け取り外し、投光角度の角度変化が自由な、構造用フレーム材としても使用できる、低価格なＬＥＤ照明灯を提供できる。
【図面の簡単な説明】
【０００５】
【図１】図(1e)LED取り付け台（1）をLED照明灯箱体(2)にまさに嵌め込もうとする図        図(2e) LED取り付け台（1）とLED照明灯箱体(2)の嵌め込み後図       図(3e)LED取り付け台（1）をLED照明灯箱体(2)に対してRO度傾けた図
【図２】図(1f)LED取り付け台（8）をLED照明灯箱体(2)にまさに嵌め込もうとする図        図(2f)  b-b断面図        図(3f) LED取り付け台（8）とLED照明灯箱体(2) の嵌め込み後図
【図３】図(1g)  導光管（B）斜視図  図(2g) 2つのLED取り付け台（8）の間に取り付けた導光管（B）の中をLEDからの光が反射され外部に投光される図
【図４】図(1f)LED取り付け台（1）とLED照明灯箱体(2)の嵌め込み後斜視図        図(2f) LED取り付け台2（8）とLED照明灯箱体(2) の嵌め込み後斜視図       図(3f) LED取り付け台（1）とLED取り付け台2（8）が一つのLED照明灯箱体(2)に嵌め込みこまれた斜視図
【発明を実施するための形態】
【０００６】
図1は、本発明によるLED照明灯箱体（2）とLEDを取り付けるLED取り付け台（1）の接触面が、互いの押し出し材形状が生じるばねによるの圧力により接しているためLED取り付け台（1）からの熱をLED照明灯箱体（2）へ小さな接触抵抗で熱伝導を可能とする、構造を示している。（以下の図において、電気部品などの部品は図示しない）
図（1e）は、本発明によるLED照明灯における、押し出し材からなるLED取り付け台（1）とLED照明灯箱体（2）をまさに嵌め込もうとする押し出し面からの図であり、LED取り付け台（1）は半径r2の曲面状を構成した外幅（外径になる）ｎ1厚さt1（1ｍｍ程度）の曲面突起部（4）とLEDを取り付ける取り付け面（5）からなる。前記LED取り付け台（1）を取り付ける、LED照明灯箱体（2）には、前記曲面突起部（4）に対応する内幅ｎ2厚さt2（1ｍｍ程度）、高さFl(10ｍｍ程度)の半径ｒ3の一部曲面状の突起部（6）が構成されている、前記突起部幅ｎ2は対応する突起部幅ｎ1と同じまたは若干小さくに作られているので、図（1e）に示されて矢印のように、一方の突起部とそれに対応する突起間に嵌め込まれると、図（2e）で示されるように、押し出し材で構成された前記突起部がばねの役割を果し、互いの接触面に矢印で示した圧力（応力）が働き、LED取り付け台（1）とLED照明灯箱体（2）の接触面の接触抵抗を小さくすることができる。
図(3e)は、LED取り付け台（1）の角度を変えることによってLEDの投光角度をRO度傾けた図である、LED取り付け台（1）とLED照明灯箱体（2）は、接触面が円弧状の曲面なので、LED取り付け台（1）曲面突起部（4）の半径ｒ2の中心Pとして回転させる事ができる、これにより取り付け面（5）のLEDの投光角度を変えることができるばかりでなく高輝度のLEDが取り付けられても、このLEDから発生する熱をLED照明灯箱体（2）に少ない接触抵抗にて熱伝導させ放熱できる  また、LED取り付け台（1）と接続したLED照明灯箱体（2）とは、設定位置を固定するため、曲面を構成した固定用ワシャ（3）に固定ねじを貫通させ平ナット（7）にて締結するが、ねじは振動などにて、外れる恐れもありこの場合、本発明においては、LED取り付け台（1）とLED照明灯箱体（2）は、前記突起部に生じる圧力により接触しているので、ねじのゆるみなどによる、接触抵抗の変化は少なくなる。
【０００７】
図2は、熱伝導性の良い材質のアルミや銅などからなる、LED取り付け台（8）であるが、このLED取り付け台（8）は、前記LED照明灯箱体（2）へのLED取り付け台（1）の設置と同様に、LED取り付け台（8）に構成した厚さｔ3(1ｍｍ程度)の突起部（10）内幅m1は、対応するLED照明灯箱体（2）に構成された、m1と同じ又は、若干大きめの外幅m2に矢印方向に嵌め込まれる。LED取り付け台（8）には、LEDと導光管（11）を支持する導光管支持台（9）が取り付けられる。
図(1f)は、導光管支持する導光管押さえ（9）を取り付けたLED取り付け台（8）を矢印のようにまさに、嵌め込もうとする図である。図（3ｆ）に示されるように、嵌め込み後は固定ねじと平ナット（7）により、LED取り付け台（8）とLED照明灯箱体(2)は固定される。
図(2f)は、図(1f)に示してあるようにb-b間の断面図である、LED取り付け台（8）と
LED照明灯箱体（2）を固定する固定ねじ用のねじ穴（11）が設けられている。
図(3f)は、LED取り付け台（8）とLED照明灯箱体(2)の固定後の図である。
互いの突起部には、矢印で示すように押し出し材形状のばねの力が働き接触抵抗を小さくすることができる。
図1におけるLED取り付け台（1）とLED照明灯箱体（2）の嵌め込みにおいても図2のLED取り付け台（8）とLED照明灯箱体（2）においてもその接触力はそれぞれの突起部の厚さ、長さをかえることでその接触の圧力をコントロールできるので特別な工具を使わず手の力によりそれぞれを取り付け、取り外しを簡単に行う事ができる。
【０００８】
図3における、図(1g)はLEDからの光を導き外部に投光する透明なガラスやアクリルからなる導光管（B）の斜視図である。導光管（B）には、LEDからの光を導く透明な導光部（12）とLEDからの光を外部に投光する反射部（13）からなる。図(2g)は、前図2の図(2f)の2つのLED取り付け台（8）に導光管（B）を取り付けた図である、LEDから投光された光は、導光管（B）の反射板（13）に反射され導光管（B）外部に投光される。
図4における図(1ｆ)はLED取り付け台（1）とLED照明灯箱体（2）の嵌め込み固定後の斜視図であり図(2ｆ)は、LED取り付け台（8）とLED照明灯箱体(2)の嵌め込み固定後の斜視図である。図(3ｆ)はLED取り付け台（1）とLED取り付け台（8）を1つのLED照明灯箱体(2)に嵌め込み固定して１つのLED照明灯とした斜視図である。
本発明によるLED照明灯は、図4で示されるように、その場にあったLED取り付け台や導光管を組み合わせることによりさまざまな形のLED照明灯を作ることができる。
また、組み立て式アルミなどからなる組み立て式構造フレーム材の一部として本発明によるLED照明灯箱体を使用できる。
【産業上の利用可能性】
【０００９】
LED照明灯構造として利用できる。
【符号の説明】
【００１０】
1.LED取り付け台
2. LED照明灯箱体
3. 固定用ワシャ
4. 曲面突起部
5. LED取り付け面
6. 一部曲面の突起部
7. 平ナット
8. LED取り付け台
9. 導光管支持台
10. 突起部
n1  突起外幅
n2  突起内幅
RO  LED取り付け面傾き角度
m1 突起内幅
m2 突起外幅
【図１】
2012221652.tif 000003
【図２】
2012221652.tif 000004
【図３】
2012221652.tif 000005
【図４】
2012221652.tif 000006